(57)【要約】      （修正有）【課題】更地に建物が完成した後の状態を実物大でイメージすることができる建築シミュレーション用具セットを提供する。【解決手段】建物に関連するパーツが実物大で示された複数枚の面状ピース４０と、その上面に面状ピース４０を配置するための面状ベース１０とを備えた建築シミュレーション用具セットであって、更地７０に敷いた面状ベース１０の上面又は周辺に面状ピース４０を配置することによって、建物が完成した後の状態がイメージしやすくなる。建物シミュレーション用具セットは、さらに、面状ベース１０における建物の角部に対応する箇所に立設するための複数本の支柱部材２０や、支柱部材２０に結び付けて張設するための紐部材３０を備えたものとする。これにより、建物の角部や、建物の特定部分の高さをイメージしやすくなる。面状ベース１０の上面には、面状ピース４０を配置する際の目安となる目印１１を示す。【選択図】図４
0003204507.tif 000002
【実用新案登録請求の範囲】
【請求項１】
建物に関連するパーツが実物大で示された複数枚の面状ピースと、
その上面に面状ピースを配置するための面状ベースと、
を備え、
更地に敷いた面状ベースの上面又は周辺に面状ピースを配置することにより、更地の状態でも建物が完成した後の状態をイメージしやすくすることを特徴とする建築シミュレーション用具セット。
【請求項２】
前記建物が家屋である請求項１記載の建物シミュレーション用具セット。
【請求項３】
面状ピースに、部屋、廊下、縁側、ホール、階段、デッキ、ポーチ、バルコニー、ベランダ、収納スペース、吹き抜け、ロフト、建物用設備、家具、家電、外構用設備又は車両が実物大で示された請求項１又は２記載の建築シミュレーション用具セット。
【請求項４】
面状ピースが、剛性を有するパネルによって形成された請求項１〜３いずれか記載の建物シミュレーション用具セット。
【請求項５】
面状ピースが、可撓性を有するシートによって形成された請求項１〜３いずれか記載の建物シミュレーション用具セット。
【請求項６】
面状ピースを配置する際の目安となる目印が、面状ベースの上面に示された請求項１〜５いずれか記載の建築シミュレーション用具セット。
【請求項７】
前記目印が、グリッドによって示された請求項６記載の建築シミュレーション用具セット。
【請求項８】
前記目印が、メーターモジュール又は尺モジュールに則って示された請求項６又は７記載の建築シミュレーション用具セット。
【請求項９】
面状ベースが、その外縁が建物の外壁面に重なるように形成された請求項１〜８いずれか記載の建築シミュレーション用具セット。
【請求項１０】
面状ベースが、矩形状を為す複数枚の分割ベースで構成され、
複数枚の分割ベースを組み合わせることにより、面状ベースの外縁を建物の外壁面に重ねることができるようにした請求項９記載の建物シミュレーション用具セット。
【請求項１１】
面状ベースが、可撓性を有するシートによって形成された請求項１〜１０いずれか記載の建物シミュレーション用具セット。
【請求項１２】
面状ベースが、メッシュシートとされた請求項１１記載の建築シミュレーション用具セット。
【請求項１３】
更地に敷いた面状ベースにおける建物の角部に対応する箇所に立設するための複数本の支柱部材を備えた請求項１〜１２いずれか記載の建築シミュレーション用具セット。
【請求項１４】
建物における各階の高さ、天井の高さ、屋根の高さ、又は、床の高さを示すために、前記支柱部材に結び付けて張設するための紐部材を備えた請求項１３記載の建築シミュレーション用具セット。
【考案の詳細な説明】
【技術分野】
【０００１】
本考案は、更地に建物が完成した後の状態をイメージしやすくするための建築シミュレーション用具セットに関する。
【背景技術】
【０００２】
家を建てようとする人は、土地から購入する場合、家の広さや間取り等についてある程度想定しながら、土地の選定を行うことが一般的である。また、家を建てる土地を既に所有している人は、家の広さや間取り等についてある程度想定しながら、ハウスメーカーや工務店に家の建築の相談を持ちかけることが一般的である。しかし、更地状態の土地を見ただけでは、自らが想定した家をその土地に建てた場合に、家が土地に対してどれくらいの大きさになるのか、庭や駐車スペースをどれくらい確保することができるのか、又は、各部屋が土地に対してどの程度の広さでどのように位置するようになるのか等の事項について、具体的にイメージすることは難しい。このため、土地や家の契約に踏み切れなくなってしまう人も少なくない。
【０００３】
したがって、土地の販売業者や家の建築業者は、家を建てようとする人（顧客）が上記事項について少しでもイメージできるようにするため、顧客が検討している家をその土地に建てた状態を示した完成予想図（いわゆる外観パース）を作成し、顧客に提示するところが多い。しかし、この種の外観パースは、平面に表された図面に過ぎないことに加えて、実際の寸法を２０分の１程度の縮尺で縮小したものであるため、上記事項について具体的にイメージすることは、必ずしも容易ではない。
【０００４】
また、近年のコンピュータの高性能化に呼応して、最近では、建築を検討している家の三次元モデルを作成可能なコンピューターソフト等も提案されている（例えば特許文献１）。さらに、本出願人は、拡張現実（ＡＲ：Ａｕｇｍｅｎｔｅｄ  Ｒｅａｌｉｔｙ）の技術を利用し、カメラ等で撮影された風景（建築予定場所の風景）に、家の三次元モデルをリアルタイムに合成する技術（例えば特許文献２）も提案している。しかし、これらの技術で作成された三次元モデルは、ディスプレイ等を通じて視認されるものとなっている。このため、これらの技術を利用したとしても、家や部屋や庭や駐車スペース等がどの程度の大きさであるのか等、具体的なスケール感についてイメージすることは、必ずしも容易ではない。
【先行技術文献】
【特許文献】
【０００５】
【特許文献１】特開２００９−２５８８２３号公報
【特許文献２】特開２０１４−１１５９５７号公報
【考案の概要】
【考案が解決しようとする課題】
【０００６】
本考案は、上記課題を解決するためになされたものであり、更地に建物が完成した後の状態を実物大でイメージすることのできる建築シミュレーション用具セットを提供するものである。
【課題を解決するための手段】
【０００７】
上記課題は、
建物に関連するパーツが実物大で示された複数枚の面状ピースと、
その上面に面状ピースを配置するための面状ベースと、
を備え、
更地に敷いた面状ベースの上面又は周辺に面状ピースを配置することにより、更地の状態でも建物が完成した後の状態をイメージしやすくすることを特徴とする建築シミュレーション用具セット
を提供することによって解決される。
【０００８】
本考案に係る建築シミュレーション用具セットは、更地（建物の建築を予定又は検討している土地であって、当該建物が建築されていない状態の土地）に敷いた面状ベースの上面又は周辺に、建物に関連するパーツが実物大で示された複数枚の面状ピースを配置することにより、建物が完成した後の状態をイメージさせるものであるため、その状態を実物大でイメージすることが容易なものとなっている。より具体的には、自らが想定した建物をその土地（更地）に建てた場合に、建物が土地に対してどれくらいの大きさになるのか、庭や駐車スペースをどれくらい確保することができるのか、又は、各部屋が土地に対してどの程度の広さでどのように位置するようになるのか等の事項について、具体的にイメージすることが容易なものとなっている。本考案に係る建築シミュレーション用具セットでは、面状ベースや面状ピースの上を実際に歩行することもできるため、各部屋の広さや距離間等について、実際に体験することも可能である。
【０００９】
本考案に係る建築シミュレーション用具セットでシミュレーションを行う建物は、ビルや工場等の事業用の建物や、学校や図書館等の公共用の建物や、マンション等の集合住宅等、大規模な建物であってもよいが、家屋等の小規模な建物であると好ましい。家屋等の小規模な建物の施主は、「広さが何平米」や「広さが何坪」と言われても実感が湧かない人が多く、建物が土地に対してどれくらいの大きさになるのか、庭や駐車スペースをどれくらい確保することができるのか、又は、各部屋が土地に対してどの程度の広さでどのように位置するようになるのか等の事項について、より具体的にイメージしたいと考える人が多いからである。本考案に係る建築シミュレーション用具セットは、ハウスメーカーや工務店等の家屋の建築業者や土地の販売業者等の営業ツールとしても非常に利用価値の高いものとなっている。
【００１０】
本考案に係る建築シミュレーション用具セットにおいて、面状ピースに実物大で示される、建物に関連するパーツ（建物関連パーツ）は、建物に関連するものであれば特に限定されない。面状ピースに実物大で示す建物関連パーツとしては、部屋（玄関、ダイニングルーム、リビングルーム、応接室、子供部屋、寝室、客室、台所、洗面室、脱衣室、浴室、トイレ、洗濯室、サンルーム、家事ルーム、書斎、ファミリールーム、プレイルーム、室内ガレージ、土間等）、廊下、縁側、ホール（玄関ホール、階段の踊り場等）、階段、デッキ（ウッドデッキ等）、ポーチ（玄関ポーチ、勝手口ポーチ等）、バルコニー、ベランダ、収納スペース（納戸、クローゼット、押入れ、小屋裏収納スペース、床下収納スペース、パントリー等）、吹き抜け、ロフト、建物用設備（流し台、コンロ、システムキッチン、洗面台、浴槽、ユニットバス、便器、引き戸、開き戸、窓、電気温水器、エレベータ、太陽光発電パネル等）、家具（棚、箪笥、机、テーブル、椅子、ソファ、ローボード、カウンター、ベッド、ドレッサー、下駄箱、観葉植物等）、家電（テレビ、洗濯機、冷蔵庫、エアコン、食器洗浄機、オーディオ機器、パソコン、照明器具等）、外構用設備（フェンス、門扉、門柱、アプローチ、カーポート、車庫、アプローチ、物干し場、階段、スロープ、花壇、芝生、植栽、置き石、物置き、倉庫、手洗い場、立水洗等）又は車両（自動車、自動二輪車、自転車等）等が例示される。
【００１１】
これらの建物関連パーツは、イラストや写真で表してもよいし、面状ピースの外郭線を建物関連パーツの形態に模して裁断することによって表してもよい。また、これらの建物関連パーツは、その形態を正確に表す必要ななく、デフォルメした形態（長方形等の単純な形態）によって表してもよい。面状ピースには、それが何を示すものなのかを明確にするために、文字や記号や色彩等を付してもよい。面状ピースは、１枚で１つの建物関連パーツを表すようにしてもよいし、１枚で複数の建物関連パーツを表すようにしてもよい。また、複数枚の建物関連パーツで１つの建物関連パーツを表すようにしてもよい。この構成は、建物関連パーツの寸法が大きいときに好適に採用することができる。
【００１２】
本考案に係る建築シミュレーション用具セットにおいて、面状ピースは、その素材を特に限定されない。例えば、剛性を有するパネルによって面状ピースを形成すると、面状ピースを持上げて下ろすだけで面状ピースの配置を変更することが可能になり、建物関連パーツの配置をその場で色々試すことが容易に行える。一方、可撓性を有するシートによって面状ピースを形成すると、面状ピースをロール状に巻くことができるようになり、面状ピースの持ち運びを容易に行うことが可能になる。
【００１３】
本考案に係る建築シミュレーション用具セットにおいては、面状ピースを配置する際の目安となる目印を、面状ベースの上面に示すことも好ましい。これにより、面状ベースにおける所望の箇所に面状ピースを容易に配置することが可能になる。面状ベースに表す目印をグリッド（格子状に描かれた線）によって示すと、面状ピースをさらに容易に配置することができる。日本における家屋の建築業者は、メーターモジュールか尺モジュールによって家屋の設計を行うことが多いため、面状ベースに表す目印は、メーターモジュール又は尺モジュールに則って示すとより好ましい。
【００１４】
本考案に係る建築シミュレーション用具セットにおいて、面状ベースは、その寸法形状を特に限定されるものではないが、その外縁が建物（実物大の建物）の外壁面に重なるように形成されていると好ましい。これにより、建築を検討している建物の外壁面を、面状ベースの外縁から把握することが可能になり、建物が土地に対してどれくらいの大きさになるのか、又は、庭や駐車スペースをどれくらい確保することができるのか等の事項について、より容易にイメージすることができるようになる。面状ベースは、１枚の面状部材で形成してもよい。しかし、小さめの家屋でも、その外郭線の一辺が４〜５ｍ程度となることや、上記のように、面状ベースの外縁を実物大の建物の外壁面に対応させること等を考慮すると、面状ベースを１枚の面状部材で形成すると、面状ベースが大きくなって敷設や持ち運びしにくいものとなる虞がある。このため、面状ベースを、矩形状（正方形状を含む。）を為す複数枚の分割ベースで構成し、複数枚の分割ベースを組み合わせることにより、面状ベースの外郭線を建物の外郭線に沿わせることができるようにすると好ましい。これにより、面状ベースを小さくして敷設や持ち運びの容易なものとすることができる。また、複雑な形状の外壁面を有する建物でも、複数枚の分割ベースを組み合わせることによって容易に表すことが可能になる。
【００１５】
本考案に係る建築シミュレーション用具セットにおいて、面状ベースは、その素材を特に限定されない。しかし、面状ベースは、面状ピースよりも大きな面状部材で構成されるため、剛性を有するパネルによって面状ベースを形成すると、面状ベースの持ち運びが難しくなる虞がある。このため、面状ベースは、可撓性を有するシートによって形成すると好ましい。これにより、面状ベースをロール状に巻くことができるようになり、面状ベースを容易に持ち運ぶことが可能になる。ただし、上述したように、面状ベースを複数枚の分割ベースで構成する場合には、それぞれの分割ベースを、剛性を有するパネルによって形成しても、面状ベースを持ち運びの容易なものとすることもできる。
【００１６】
本考案に係る建築シミュレーション用具セットにおいて、面状ベースは、開口部等を有さない連続面状の面状部材で形成することもできるが、メッシュシートによって形成すると好ましい。これにより、面状ベースを軽量化して、敷設や持ち運びのさらに容易なものとすることが可能になる。また、雨天時に面状ベースを敷設しても、雨水が面状ベースの上面側に溜まらないようにすることも可能になる。さらに、面状ベースを水洗いしやすいものとするだけでなく、乾燥しやすいものとすることができ、面状ベースが泥等で汚れた場合であっても、その汚れを容易に落とすことが可能になる。
【００１７】
本考案に係る建築シミュレーション用具セットは、上述した面状ピースと面状ベースのみを備えたものであってもよいが、更地に敷いた面状ベースにおける建物の角部に対応する箇所に立設するための複数本の支柱部材をさらに備えたものとすると好ましい。これにより、建物の角部を認識しやすくして、建物の寸法をさらに把握しやすくすることが可能になる。この場合には、本考案に係る建築シミュレーション用具セットを、前記支柱部材に結び付けて張設するための紐部材を備えたものとすると好ましい。これにより、建物における各階の高さ、天井の高さ、屋根の高さ、又は、床の高さを前記紐部材の高さで示すことができるようになり、建物の具体的な大きさをさらにイメージしやすくすることが可能になる。
【考案の効果】
【００１８】
以上のように、本考案によって、更地に建物が完成した後の状態を実物大でイメージすることのできる建築シミュレーション用具セットを提供することが可能になる。
【図面の簡単な説明】
【００１９】
【図１】建物の建築を検討している土地（更地）を示した斜視図である。
【図２】図１の更地に面状ベースを敷いた状態を示した斜視図である。
【図３】図２の面状ベースにおける建物の角部に対応する箇所に複数本の支柱部材を立設し、当該支柱部材に紐部材を結び付けて張設した状態を示した斜視図である。
【図４】図３の面状ベースの上面又は周辺に面状ピースを配置した状態を示した斜視図である。
【図５】面状ピースの一例を示した平面図である。
【考案を実施するための形態】
【００２０】
本考案に係る建築シミュレーション用具セットの好適な実施態様について、図面を用いてより具体的に説明する。以下においては、説明の便宜上、家屋（戸建住宅）の建築を検討している場合を例に挙げて、本考案に係る建築シミュレーション用具セットの説明をするが、本考案に係る建築シミュレーション用具セットは、家屋以外の建物の建築を検討する場合にも用いることができる。図１は、家屋の建築を検討している土地７０（更地）を示した斜視図である。図２は、図１の更地７０に面状ベース１０を敷いた状態を示した斜視図である。図３は、図２の面状ベース１０における家屋の角部に対応する箇所に複数本の支柱部材２０を立設し、支柱部材２０に紐部材３０を結び付けて張設した状態を示した斜視図である。図４は、図３の面状ベース１０の上面又は周辺に面状ピース４０を配置した状態を示した斜視図である。図５は、面状ピース４０の一例を示した平面図である。
【００２１】
本実施態様の建築シミュレーション用具セットは、図４に示すように、面状ベース１０と、支柱部材２０と、紐部材３０と、面状ピース４０とを備えたものとなっている。家屋の建築を検討している顧客８０は、図１に示す更地状態の土地７０を見ただけでは、家屋が土地７０に対してどれくらいの大きさになるのか、庭や駐車スペースをどれくらい確保することができるのか、又は、各部屋が土地７０に対してどの程度の広さでどのように位置するようになるのか等の事項について、具体的にイメージをすることが難しいところ、本実施態様の建築シミュレーション用具セットを以下のように用いると、顧客８０がこれらの事項について具体的にイメージすることができるようになる。
【００２２】
まず、図２に示すように、土地７０における家屋の建築を予定している箇所に面状ベース１０を敷く。本実施態様の建築シミュレーション用具セットにおいては、後述するように、面状ベース１０の外縁は、建築を検討している家屋の外壁面に対応するようになっているところ、面状ベース１０を敷く位置や向きは、通路や駐車スペース等の所望のスペースを面状ベース１０の周囲に確保できるか、隣接地に建っている家屋等と面状ベース１０との距離感、又は、日当たりの良さ等を考慮しながら適宜調整することができる。面状ベース１０の位置や向きは、面状ベース１０を引きずったり、持ち上げたりすることによって容易に調整することができる。
【００２３】
面状ベース１０の平面視形状は、特に限定されないが、通常、矩形（正方形を含む）とされる。本例では、一階部分を取り巻く外壁面が平面視矩形状を為し、一階部分の横幅が８ｍ（壁芯距離）で縦幅が７ｍ（壁芯距離）という寸法を有する家屋の建築について顧客８０が検討している場面を想定しているところ、本実施態様の建築シミュレーション用具セットにおいては、面状ベース１０を、横幅が８ｍ強で縦幅が７ｍ強の矩形状を為す１枚の面状部材によって形成している。すなわち、面状ベース１０の外縁が、建築を検討している家屋の一階部分の外壁面に対応するようにしている。ただし、一階部分が横幅８ｍ×縦幅７ｍよりも小さな家屋の建築を検討している場合でも、図２に示した面状ベース１０における所定箇所を折り返して面状ベース１０における一の部分を他の部分に重ねたり、面状ベース１０における一の部分の上側に他の部材等を重ねて面状ベース１０における当該一の部分を隠したりすることで、家屋の寸法や形状をイメージさせることが可能である。また、一階部分が横幅８ｍ×縦幅７ｍよりも大きな家屋の建築を検討している場合でも、図２に示した面状ベース１０（分割シート）に他の面状ベース（分割シート）を組み合わせる等すれば、家屋の寸法や形状をイメージさせることができる。ところで、面状ベース１０は、想定される家屋の大半をカバーできるように大き目の寸法とすることもできる。例えば、面状ベース１０の基本寸法を、横幅を１０ｍ強とし縦幅を１０ｍ強とすれば、標準的な大きさの家屋の大半をカバーすることができる。
【００２４】
このように、面状ベース１０は、１枚の面状部材によって形成してもよいし、複数枚の面状部材（分割ベース）を組み合わせることによって形成してもよい。家屋等の建物の外壁面の平面視形状は、矩形を組み合わせて表すことができることが多いため、面状ベース１０を複数枚の分割ベースによって形成する場合には、それぞれの分割ベースを、平面視矩形状に形成すると好ましい。それぞれの分割ベースは、全て合同（同一形状且つ同一寸法）としてもよいが、形状や寸法の異なる複数種類を容易してもよい。ただし、分割ベースの寸法が小さくなりすぎると、面状ベース１０の敷設作業を行いにくくなる虞がある。このため、それぞれの分割ベースにおける長辺の長さは、１ｍ以上とすると好ましく、２ｍ以上とするとより好ましい。一方、分割ベースの寸法が大きくなりすぎると、面状ベース１０を持ち運びしにくくなる虞があるし、面状ベース１０の敷設作業を行いにくくなる虞もある。このため、それぞれの分割ベースにおける長辺の長さは、２０ｍ以下とすると好ましく、１５ｍ以下とするとより好ましく、１０ｍ以下とするとさらに好ましい。
【００２５】
面状ベース１０の素材は、特に限定されない。本実施態様の建築シミュレーション用具セットにおける面状ベース１０は、可撓性を有するメッシュシートとなっており、ロール状に巻いたり、折り畳んだりすることで、コンパクトな状態で持ち運ぶことが可能なものとなっている。面状ベース１０として用いるメッシュシートの種類は、特に限定されないが、防球ネットや農業ネット等の合成樹脂製のネットを好適に用いることができる。というのも、面状ベース１０は、地面に敷いて用いられることに加えて、後述するように、その上を人が歩くこともあるところ、この種のネットは、軽量で施工性に優れながらも、強靭で耐久性に優れ、且つ、耐水性や耐候性に優れたものが多いからである。また、この種のネットは、目開きが数ｍｍ（例えば３ｍｍ）から数ｃｍ（例えば５ｃｍ）とある程度大きく、砂や土等を保持しにくいため、面状ベース１０として好適に用いることができる。さらに、この種のネットは、緑色や青色やオレンジ色等、地面に対して目立つ色のものが市販されているため、これらを用いて面状ベース１０を形成すれば、面状ベース１０に別途着色を施さなくても、面状ベース１０を地面に対して目立たせることが可能になる。本実施態様の建築シミュレーション用具セットにおいては、合成樹脂製の緑色の防球ネットを所定形状に裁断したものを、面状ベース１０として用いている。
【００２６】
本実施態様の建築シミュレーション用具セットにおいて、面状ベース１０の上面には、グリッド１１が実線で示されている。面状ベース１０の上面には、図４に示すように、面状ピース４０が配置されるところ、このグリッド１１は、面状ベース１０の上面に面状ピース４０を配置する際の目印として機能するようになっている。すなわち、面状ピース４０の外縁をグリッド１１の横線や縦線に重ねることで、面状ピース４０を面状ベース１０における所望の箇所に容易に配置することができるようになっている。
【００２７】
面状ベース１０に対するグリッド１１の設け方は、特に限定されず、印刷やペイント等によってグリッド１１を設けてもよい。しかし、本実施態様の建築シミュレーション用具セットにおける面状ベース１０は、既に述べた通り、防球ネットを用いており、印刷やペイント等によっては、グリッド１１を設けにくい。このため、本実施態様の建築シミュレーション用具セットにおいては、面状ベース１０の上面に紐（線状部材）を縫着することによって、グリッド１１を設けている。グリッド１１を形成する線状部材の色は、面状ベース１０の色（緑色）と異なる色であれば、特に限定されないが、本実施態様の建築シミュレーション用具セットにおいては、白色としている。
【００２８】
ところで、本実施態様の建築シミュレーション用具セットは、メーターモジュールで建築される家屋をイメージさせるものとなっているため、面状ベース１０におけるグリッド１１も、メーターモジュールに則って示されている。すなわち、グリッド１１のマス目の大きさは、縦横ともに１ｍとなっている。ただし、建築シミュレーション用具セットをメーターモジュール以外のモジュールで建築される家屋をイメージさせるものとする場合には、グリッド１１は、メーターモジュール以外のモジュールに則って示される。例えば、建築シミュレーション用具セットを尺モジュールで建築される家屋をイメージさせるものとする場合には、グリッド１１は、尺モジュールに則って示される（グリッド１１のマス目の大きさが縦横ともに９１ｃｍとされる）。グリッド１１は、モジュールに則った基本のマス目（メーターモジュールの場合には、縦横いずれも１ｍのマス目）を形成する基本線と、基本のマス目を分割する補助線（例えば、基本のマス目を縦横に二等分ずつする補助線）とによって構成してもよい。この場合には、補助線の太さや色を、基本線の太さや色と異ならせると分かりやすい。
【００２９】
図２に示すように、面状ベース１０の敷設作業を終えると、続いて、図３に示すように、複数本の支柱部材２０を立設する。支柱部材２０は、建築を予定している家屋の角部を認識しやすくするためのものとなっている。このため、支柱部材２０は、更地７０に敷いた面状ベース１０における建物の角部に対応する箇所に立設する。既に述べた通り、本例では、一階部分の平面視形状が矩形状を為す家屋の建築を検討していることに加えて、面状ベース１０の外縁は、建築を検討している家屋の一階部分の外壁面に対応するようになっている。したがって、本例では、面状ベース１０の四隅部に支柱部材２０を１本ずつ計４本立設する。支柱部材２０を立設する方法は、特に限定されず、スタンド等を利用してもよいが、本実施態様の建築シミュレーション用具セットにおいては、支柱部材２０の下端部に先鋭な杭状部を形成しており、当該杭状部を地中に打ち込むことによって、支柱部材２０を立設することができるようになっている。既に述べた通り、面状ベース１０は、ネット（メッシュシート）によって形成しており、多数の開口部を有しているため、面状ベース１０における任意の箇所に支柱部材２０を容易に打ち込むことができる。
【００３０】
支柱部材２０における地上に突き出る部分の長さ（高さ）は、特に限定されない。家屋における特定部分（各階、天井、屋根又は床等）の高さを、支柱部材２０の高さや、支柱部材２０に張設した紐部材３０の高さによって示すようにする場合には、支柱部材２０は、当該特定部分の高さと同じ高さか、当該特定部分よりも高く設定される。例えば、家屋の一階部分の天井の高さや屋根の高さを支柱部材２０によって示す場合には、支柱部材２０における地上に突き出る部分の長さは、少なくとも２〜３ｍ程度は必要であるが、家屋の一階部分の床の高さを支柱部材２０によって示す場合には、支柱部材２０における地上に突き出る部分の長さは、１ｍ程度もあれば十分である。本実施態様の建築シミュレーション用具セットにおける支柱部材２０は、地上に突き出る部分の長さが３ｍ程度となっている。それぞれの支柱部材３０は、１本の連続した部材によって形成してもよいが、支柱部材３０が長い場合には、支柱部材３０が施工や運搬に不便なものとなる虞がある。このため、支柱部材３０が長くなる場合には、支柱部材３０を、伸縮可能なスライドパイプとしたり、長手方向に継ぐことのできる複数本の分割パイプで構成したりすることもできる。
【００３１】
全ての支柱部材２０を所定箇所に立設し終えると、続いて、図３に示すように、それぞれの支柱部材２０の上端部付近に紐部材３０を結び付け、隣り合う支柱部材２０の間に紐部材３０が張設された状態とする。紐部材３０には、各種の紐やロープ等を使用することができる。この紐部材３０は、家屋における特定部分（各階、天井、屋根又は床等）の高さを示すためのものとなっている。このため、紐部材３０を張設する高さは、当該特定部分の高さに設定される。本実施態様の建築シミュレーション用具セットにおいて、紐部材３０は、家屋の一階部分における天井の高さを示すためのものとなっており、一階部分の天井の高さで張られるようになっている。紐部材３０を複数本用意して、それぞれの紐部材３０を支柱部材２０における異なる高さに張設してもよい。これにより、一階部分の高さと二階部分の高さとを同時に示す等、家屋における複数の部分の高さを一度に示すことが可能になる。この場合、一の高さに張設する紐部材３０と、他の高さに張設する紐部材３０とは、太さや色を異ならせることもできる。
【００３２】
支柱部材２０に紐部材３０を張設し終えると、続いて、図４に示すように、複数枚の面状ベース１０の上面又は周辺に面状ピース４０を配置する。それぞれの面状ピース４０には、家屋に関連するパーツ（建物関連パーツ）が実物大で示されている。面状ピース４０の種類は、特に限定されないが、本実施態様の建物シミュレーション用具セットにおいては、図５に示す９種類の面状ピース４０を用意している。具体的には、図５（ａ）に示すように、玄関土間が実物大で示された面状ピース４１と、図５（ｂ）に示すように、システムキッチン及びカウンターが実物大で示された面状ピース４２と、図５（ｃ）に示すように、食器棚が実物大で示された面状ピース４３と、図５（ｄ）に示すように、ダイニングセットが実物大で示された面状ピース４４と、図５（ｅ）に示すように、トイレが実物大で示された面状ピース４５と、図５（ｆ）に示すように、リビングセット及びテレビが実物大で示された面状ピース４６と、図５（ｇ）に示すように、洗面室及びウオークスルークローゼットが実物大で示された面状ピース４７と、図５（ｈ）に示すように、ユニットバスが実物大で示された面状ピース４８と、図５（ｉ）に示すように、普通乗用車が実物大で示された面状ピース４９とを用意している。
【００３３】
建物関連パーツは、イラストや写真や文字や記号や色彩等を面状ピース４０の上面に表すことによって面状ピース４０に示してもよいし、面状ピース４０の外縁を当該建物関連パーツの外郭線に沿った形状とすることによって面状ピース４０に示してもよいし、これらを組み合わせることによって面状ピース４０に示してもよい。本実施態様の建物シミュレーション用具セットにおける面状ピース４７のように、洗面台や洗濯機や洗面室等、関連の深い建物関連パーツは、１枚の面状ピース４０にまとめて表すこともできる。これらの面状ピース４１〜４９は、面状ベース１０の上面又は周囲における、顧客８０が想定する間取りや設計に応じた箇所に配置する。面状ピース４１〜４９の配置や向きが気に入らなかった場合には、面状ピース４１〜４９の配置や向きが気に入ったものとなるように、面状ピース４１〜４９の配置や向きを適宜変更する。
【００３４】
既に述べた通り、面状ピース４０は、その素材を特に限定されず、剛性を有する各種のパネルや、可撓性を有する各種のシートで形成することができる。剛性を有するパネルとしては、樹脂パネルや型紙パネルや木質パネルや金属パネル等の硬質パネルが例示される。この場合、建物関連パーツは、硬質パネルの上面に対して直接的に表してもよいし、イラストや写真を表示した表示シート（紙等）を硬質パネルの上面に貼り付けることにより間接的に表してもよい。硬質パネルやシートの表面は、保護シートで覆ってもよい。これにより、面状ピース４０の耐水性を高めたり、面状ピース４０に汚れが付着しにくくしたりすることができ、面状ピース４０を、その上を人が歩いても不都合の生じないものとすることが可能になる。一方、面状ピース４０を、可撓性を有するシートで形成する場合には、当該シートとして、樹脂シートや紙や布等を用いることができる。この場合、建物関連パーツの表し方は、上記の硬質パネルの場合と同様の方法を採用することができ、その表面を保護シートで覆うこともできることについても、上記の硬質パネルの場合と同様である。
【００３５】
それぞれの面状ピース４０の形状（平面視形状のこと。以下同じ。）は、それに表す建物関連パーツの形状等によっても異なり、特に限定されない。しかし、本実施態様の建物シミュレーション用具セットのように、面状ベース１０に矩形状のグリッド１１を設ける場合には、面状ピース４０の形状は、矩形状（正方形を含む。）か、矩形を組み合わせた形状（例えば、２つの矩形を組み合わせて形成される「Ｌ」字状や「Ｔ」字状等）とすると好ましい。これにより、面状ピース４０を面状ベース１０におけるグリッド１１に合わせやすくすることが可能になる。ただし、平面視形状が楕円形状を有するテーブル等を面状ピース４０に単独で表すような場合には、面状ピース４０の形状を、当該テーブル等と合同又は相似な楕円形状としてもよい。
【００３６】
面状ピース４０の大きさは、特に限定されない。しかし、面状ピース４０が小さすぎると、面状ピース４０の枚数が増大して、面状ピース４０の配置作業が煩わしくなる虞がある。このため、面状ピース４０は、その長辺の長さを５０ｃｍ以上とすると好ましい。面状ピース４０の長辺の長さは、１ｍ以上とするとより好ましく、１．５ｍ以上とするとさらに好ましい。一方、面状ピース４０が大きすぎると、面状ピース４０の配置作業を行いにくくなるだけでなく、面状ピース４０が運搬や保管をしにくいものとなる虞がある。このため、面状ピース４０は、その長辺の長さを７ｍ以下とすると好ましい。面状ピース４０の長辺の長さは、６ｍ以下とするとより好ましく、５ｍ以下とするとさらに好ましい。建物関連パーツとして、普通乗用車を表す場合や、広めのリビングルームを表す場合等には、面状ピース４０の長辺の長さが５ｍを超える場合もあるが、その場合には、それを表す面状ピース４０を複数枚に分割し、その建物関連パーツを複数枚の面状ピース４０にわたって表すようにしてもよい。
【００３７】
全ての面状ピース４０を所望の位置に配置し終えると、図４に示す状態となり、更地状態の土地７０でも家屋が完成した後の状態をイメージしやすくなっている。具体的には、家屋が土地７０に対してどれくらいの大きさになるのか、庭や駐車スペースをどれくらい確保することができるのか、又は、各部屋が土地に対してどの程度の広さでどのように位置するようになるのか等の事項について、具体的にイメージすることが容易となっている。顧客８０は、面状ベース１０や面状ピース４０の上を実際に歩行することもできるため、各部屋の広さや距離間等について、実際に体験することも可能である。本考案に係る建築シミュレーション用具セットは、ハウスメーカーや工務店等の家屋の建築業者や土地の販売業者等の営業ツールとしても非常に利用価値の高いものとなっている。
【符号の説明】
【００３８】
１０  面状ベース
１１  グリッド（目印）
２０  支柱部材
３０  紐部材
４０  面状ピース
４１  玄関土間が実物大で示された面状ピース
４２  システムキッチン及びカウンターが実物大で示された面状ピース
４３  食器棚が実物大で示された面状ピース
４４  ダイニングセットが実物大で示された面状ピース
４５  トイレが実物大で示された面状ピース
４６  リビングセット及びテレビが実物大で示された面状ピース
４７  洗面室及びウオークスルークローゼットが実物大で示された面状ピース
４８  ユニットバスが実物大で示された面状ピース
４９  普通乗用車が実物大で示された面状ピース
７０  建物の建築を予定している土地（更地）
８０  顧客
【図１】
0003204507.tif 000003
【図２】
0003204507.tif 000004
【図３】
0003204507.tif 000005
【図４】
0003204507.tif 000006
【図５】
0003204507.tif 000007